(57)【特許請求の範囲】
【請求項１】
枚葉紙が送り込まれてくるテーブルの前側下部に設定角度正逆回転される前当て軸を設け、この前当て軸に前記枚葉紙の前縁を受け止めてその前縁を位置決めする左右一対の前当てユニットの複数組を設けた枚葉印刷機の前当て装置において、前記各前当てユニットが、前当て軸の外周上部に固定された支持台と、その支持台上に設けられる台板部を下端に有し、その台板部の一端部が前記支持台に揺動自在に支持された枚葉紙位置決め用の前当てと、前記前当て軸を半径方向に貫通して先端が前記台板部の下面に当接する調整ピンと、前記台板部を下向きに付勢してその台板部の下面を調整ピンの先端に押し付ける弾性部材とを有し、前記調整ピンにねじ軸部を設け、そのねじ軸部を前記前当て軸に形成されたねじ孔にねじ係合し、前記調整ピンの下端部に摘みを設けたことを特徴とする枚葉印刷機の前当て装置。
【発明の詳細な説明】
【０００１】
【発明の属する技術分野】
この発明は、枚葉印刷機の前当て装置に関するものである。
【０００２】
【従来の技術】
給紙部に積み重ねられた枚葉紙を上部から一枚ずつ前方のテーブル上に送り込み、そのテーブルの先端から圧胴に設けられたくわえ爪に向けて送り込んで印刷を施すようにした枚葉印刷機においては、テーブル上に送り込まれた枚葉紙を、そのテーブルの先端部において、前縁の位置決めを行ない、その前縁の位置決め後に枚葉紙を一側方に引き込んで一側縁の位置決めを行なったのち、圧胴に設けられたくわえ爪の回転にタイミングを合わせて圧胴に向けて送り込むようにしている。
【０００３】
枚葉紙の前縁の位置決めに際しては、テーブルの前側部に左右一対の前当てを設け、その前当てで枚葉紙の前縁を受け止めて前縁を位置決めするようにしている。
【０００４】
枚葉印刷機においては、印刷される枚葉紙のサイズが一定でないため、左右一対の前当てを枚葉紙の幅方向に複数組設け、枚葉紙のサイズに応じて使用する前当てを決定し、残りの組の前当ては枚葉紙を受け止めることのない位置まで逃すようにしている。
【０００５】
図３（Ｉ）は、小サイズ用の一対の前当てＡ1 、中サイズ用の一対の前当てＡ2 、大サイズ用の一対の前当てＡ3 を設けた例を示し、印刷される枚葉紙Ｓのサイズが大きい場合、図３（II）に示すように、大サイズ用の一対の前当てＡ3 を使用し、小サイズ用および中サイズ用の一対の前当てＡ1 、Ａ2 は枚葉紙Ｓの前縁が当接することのない位置（待機位置）に逃すようにしている。
【０００６】
前当てを使用位置と待機位置とに位置の変更が行なえるようにした前当て装置として図４および図５に示したものが従来から知られている。
【０００７】
上記前当て装置は、テーブル３０の前側下部に設けられた前当て軸３１に複数の前当てユニットＵ2 を設けている。図では単一の前当てユニットＵ2 のみが示されている。前当てユニットＵ2 は、前当て軸３１に固定された固定ホルダ３２と、前当て軸３１を中心にして揺動可能な可動ホルダ３３を有し、前記可動ホルダ３３の外周上部に設けられた支持片３４に枚葉紙を受け止めて前縁を位置決めする前当て３５を取付けている。
【０００８】
また、可動ホルダ３３の外周下部に押圧片３６を設け、固定ホルダ３２にはその押圧片３６に対向するピン支持片３７を設け、そのピン支持片３７にピン挿入孔３８を形成している。ここで、ピン挿入孔３８は段付き孔から成り、その小径孔はねじ孔３９とされ、そのねじ孔３９にねじ係合されるねじ軸部４１を有する調整ピン４０をピン挿入孔３８に挿入して先端を前記押圧片３６に当接し、調整ピン４０の後端部には摘み４２を取付けている。
【０００９】
さらに、固定ホルダ３２および可動ホルダ３３のそれぞれにピン４３、４４を取付け、そのピン４３、４４間にスプリング４５をかけ渡して押圧片３６が調整ピン４０の先端に当接する方向に可動ホルダ３３を付勢している。
【００１０】
上記の構成から成る前当て装置は、摘み４２の操作により調整ピン４０を軸方向に移動させ、その調整ピン４０が押圧片３６を押圧する作用により可動ホルダ３３を図４の時計方向に揺動させて前当て３５を使用位置まで変位させるようにしている。
【００１１】
また、調整ピン４０を押圧片３６から離反する方向に移動させ、スプリング４５の弾力により可動ホルダ３３を反時計方向に揺動させて前当て３５を待機位置まで変位させるようにしている。
【００１２】
【発明が解決しようとする課題】
ところで、従来の前当て装置においては、前当て軸３１に固定と可動のホルダ３２、３３を取付け、その可動ホルダ３３に前当て３５を取付けて、その前当て３５を前当て軸３１を中心に揺動させる構成であるため、前当てユニットＵ2 がきわめて大型化し、前当て軸３１に複数の前当てユニットＵ2 を取付けた場合に、隣接する前当てユニットＵ2 間に大きなスペースを確保することができない。このため、位置決め後の枚葉紙の前縁をくわえて圧胴に向けて枚葉紙を送るスインググリッパをテーブル３０の下方に設けようとした場合に、そのスインググリッパの組込むためのスペースを確保することができず、スインググリッパの組込みができないという問題がある。
【００１３】
この発明の課題は、前当てユニットの小型コンパクト化を図り、テーブルの下方に対してスインググリッパを組込むことができる前当て装置を提供することである。
【００１４】
【課題を解決するための手段】
上記の課題を解決するために、この発明においては、枚葉紙が送り込まれてくるテーブルの前側下部に設定角度正逆回転される前当て軸を設け、この前当て軸に前記枚葉紙の前縁を受け止めてその前縁を位置決めする左右一対の前当てユニットの複数組を設けた枚葉印刷機の前当て装置において、前記各前当てユニットが、前当て軸の外周上部に固定された支持台と、その支持台上に設けられる台板部を下端に有し、その台板部の一端部が前記支持台に揺動自在に支持された枚葉紙位置決め用の前当てと、前記前当て軸を半径方向に貫通して先端が前記台板部の下面に当接する調整ピンと、前記台板部を下向きに付勢してその台板部の下面を調整ピンの先端に押し付ける弾性部材とを有し、前記調整ピンにねじ軸部を設け、そのねじ軸部を前記前当て軸に形成されたねじ孔にねじ係合し、前記調整ピンの下端部に摘みを設けた構成を採用したのである。
【００１５】
上記のように、前当ての揺動中心を前当て軸ではなく、その前当て軸の外周上部に設けたこと、および前当てを使用位置と使用位置から逃げる待機位置との間で変位させる調整ピンを前当て軸を半径方向に貫通する配置としたことによって、前当てユニットの小型コンパクト化を図ることができる。このため、前当て軸に複数の前当てユニットを取付けた場合に、隣接する前当てユニット間に大きなスペースを確保することができ、テーブルの下方に対してのスインググリッパの組込みを可能とすることができる。
【００１６】
【発明の実施の形態】
以下、この発明の実施の形態を図１および図２に基づいて説明する。図示のように、枚葉紙が送り込まれるテーブル１の前側下部には枚葉紙の移送方向に対して直交する方向に長く延びる前当て軸２が設けられている。
【００１７】
前当て軸２は所定角度正逆方向に回転される。この前当て軸２に複数の前当てユニットＵ1 が軸方向に間隔をおいて設けられている。図では単一の前当てユニットＵ1 が示されている。
【００１８】
前当てユニットＵ1 は、前当て軸２の外周上部に設けられた支持台１０を有している。
【００１９】
支持台１０は前当て軸２の外周上部に設けられた平坦な支持面３にボルトの締付けにより固定されている。支持台１０上にはテーブル１に送り込まれる枚葉紙を受け止めて枚葉紙の前縁を位置決めする前当て１１が設けられている。
【００２０】
前当て１１は台板部１２を下端に有し、その台板部１２の一端部を貫通するピン１３の両端部が前記支持台１０の上面に設けられた一対の支持片１０ａで支持され、上記ピン１３を中心として前当て１１が揺動自在とされている。
【００２１】
前当て１１の上部には枚葉紙の先端の浮きあがりを防止する防止片１４が取付けられ、その防止片１４にころ１５が回転自在に支持されている。
【００２２】
前記前当て軸２には外周上部から外周下部に貫通する半径方向のピン挿入孔１６が形成されている。ピン挿入孔１６は段付き孔から成り、その小径孔はねじ孔１７とされている。
【００２３】
ピン挿入孔１６には調整ピン１８が挿入されている。調整ピン１８は前記ねじ孔１７にねじ係合されるねじ軸部１９を有し、そのねじ軸部１９の先端部は支持台１０に形成された孔２０に挿入されて台板部１２の下面に当接している。この当接位置は台板部１２の揺動中心よりオフセットされた位置であり、調整ピン１８を回転してその調整ピン１８を上方に移動させると、台板部１２が調整ピン１８で押し上げられて他端が上方に移動する方向に揺動するようになっている。
【００２４】
調整ピン１８の下端部にはカラー２１と摘み２２が取付けられている。カラー２１には２本の回り止めピン２３が周方向に間隔をおいて設けられ、各回り止めピン２３が前当て軸２の外周下部に取付けられた固定ピン２４に当接する範囲において前記調整ピン１８は回動自在とされている。
【００２５】
摘み２２の外周には前当て軸２に取付けられた板ばね２５の先端部が弾力的に当接しており、その板ばね２５の先端部に設けた突起２５ａと摘み２２の外周に設けられた筋目２２ａの係合によって摘み２２は回り止めされ、その摘み２２を無理に回転させることにより突起２５ａが筋目２２ａに対して係脱するようになっている。
【００２６】
前記前当て１１における台板部１２の他端部には軸挿入孔２６が形成され、その軸挿入孔２６に挿入されたボルトから成るねじ軸２７は支持台１０の他端部に形成されたねじ孔２８にねじ係合されている。ねじ軸２７を頭部２７ａを有し、その頭部２７ａと台板部１２間に皿ばねから成る弾性部材２９が組込まれている。弾性部材２９は台板部１２を押し下げてその台板部１２を調整ピン１８の先端面に押し付けている。
【００２７】
実施の形態で示す前当て装置は上記の構造から成り、図１は前当て１１が枚葉紙の前縁を受け止める使用位置に変位された状態を示す。
【００２８】
図１に示す状態において、摘み２２の操作により調整ピン１８を回転し、その調整ピン１８を上方に向けて移動させると、台板部１２が調整ピン１８で押されてピン１３を中心に他端が上方に移動する方向に揺動し、前当て１１を枚葉紙を受け止めることがない位置に逃すことができる。
【００２９】
このとき、弾性部材２９は弾性変形する。このため、調整ピン１８を回転して下降させると、弾性部材２９の弾力により台板部１２は他端が下方に移動する方向に揺動し、前当て１１を図１に示す使用位置に変位させることができる。
【００３０】
使用位置に変位された前当て１１によって枚葉紙の前縁が位置決めされ、その位置決め後に一側縁の位置決めが行なわれた枚葉紙を図示省略した圧胴に向けて送り込む際には、前当て軸２を図１の反時計方向に設定角度回転させて、前当て１１の先端部を枚葉紙の移送路から離れた位置まで退避させる。
【００３１】
実施の形態で示すように、前当て軸２の外周上部に取付けた支持台１０上に前当て１１の揺動中心となるピン１３を設け、その前当て１１を使用位置から待機位置に変位させる調整ピン１８を前当て軸２を半径方向に貫通する配置とすることによって、前当てユニットＵ1 の小型コンパクト化を図ることができる。このため、前当て軸２に複数の前当てユニットＵ1 を取付けた場合に、隣接する前当てユニットＵ1 間に大きなスペースを確保することができ、位置決め後の枚葉紙の前縁部をくわえて圧胴に送り込むスインググリッパ（図示省略）のテーブル１の下方への組込みを可能とすることができる。
【００３２】
【発明の効果】
以上のように、使用位置から待機位置に変位される揺動可能な前当ての揺動中心を前当て軸とせず、その前当て軸の外周上部に設け、前記前当てを使用位置とその使用位置から逃げた待機位置との間で揺動させる調整ピンを前当て軸の半径方向に貫通する配置としたことによって、前当てユニットの小型コンパクト化を図ることができ、隣接する前当てユニット間にきわめて大きいスペースを確保することができる。その結果、テーブルの下方に枚葉紙の前縁をくわえて圧胴に供給するスインググリッパを容易に組込むことができる。
【図面の簡単な説明】
【図１】この発明に係る前当て装置の実施形態を示す縦断正面図
【図２】図１の右側面図
【図３】（Ｉ）は前当ての配置の一例を示す平面図、（II）は前当ての使用の一例を示す平面図
【図４】従来の前当て装置を示す縦断正面図
【図５】図４の右側面図
【符号の説明】
１  テーブル
２  前当て軸
Ｕ1   前当てユニット
１０  支持台
１１  前当て
１２  台板部
１７  ねじ孔
１８  調整ピン
１９  ねじ軸部
２２  摘み
２９  弾性部材
【図１】
0003892701.tif 000002
【図２】
0003892701.tif 000003
【図３】
0003892701.tif 000004
【図４】
0003892701.tif 000005
【図５】
0003892701.tif 000006